(57)【要約】      （修正有）【課題】軽量で簡単に着脱ができ、ラバーポールが存在しても路面と同時に簡易中央分離帯の除雪を行なえ、かつ、安価な除雪装置を提供する。【解決手段】プラウ６とブラシ装置７を備えた除雪装置とする。ブラシ装置７は、ブラシ９を有する。ブラシ９は、弾力による屈曲性と一端で支持しても他端の垂れ下がりが少ない直線材を多数束ねてブラケット８に取付けてある。ブラシ装置７をプラウ６の右端後面側に取付け、プラウ６の右端から右方へ、ブラシ９の先端が少なくとも簡易中央分離帯１の中央に達する寸法だけ突出させて取り付ける。【選択図】図４
0003214362.tif 000002
【実用新案登録請求の範囲】
【請求項１】
プラウとブラシ装置を備えた除雪装置であって、
ブラシ装置はブラシを有し、
ブラシは、弾力による屈曲性と一端で支持しても他端の垂れ下がりが少ない剛性を備えた直線材を多数束ねたものであり、
ブラシ装置は進行方向の前方から見て、プラウの右端後面側に取付け、前記ブラシがプラウの右端から右方へ、ブラシの先端が少なくとも簡易中央分離帯の中央に達する寸法だけ突出させて、水平に取り付けてある
ことを特徴とした除雪装置。
【請求項２】
ブラシがプラウの進行方向で水平に複数個並列して取り付けられていることを特徴とした請求項１に記載の除雪装置。
【請求項３】
ブラシの直線材は、平面視でプラウの進行方向に関して、前方側のものが短く、後方側のものが長く、プラウに取り付けた状態で、ブラシの先端線が前方から後方へ狭くなる鋭角でプラウの進行方向と交わることを特徴とした請求項１または２に記載の除雪装置。
【請求項４】
ブラシ装置はブラケットを備え、前記ブラシは、芯材の回りに複数の直線材の一端部を固定したものであり、
芯材の基部がブラケットに固定されており、
さらに、ブラシの基部が、芯材が存在する範囲において、直線材の外側から直線材を包みこむように、Ｕボルトによって前記ブラケットに固定されており、
ブラシ装置は、ブラケットをプラウの右端後方に設けたプラウ側のステーに取付けられるものであることを特徴とした請求項１に記載の除雪装置。
【請求項５】
直線材は、ポリプロピレンまたは塩化ビニールを素材とし、硬質で繰り返し屈曲・回復性に富んだ線材であることを特徴とした請求項１に記載の除雪装置。
【考案の詳細な説明】
【技術分野】
【０００１】
本考案は、除雪車両に付属させて使用し、簡易中央分離帯が存在する道路の除雪を行なう除雪装置に関する。
【背景技術】
【０００２】
対面通行の道路では、上下線を分ける境界として中央に簡易な分離帯あるいは中央線（これらをまとめて簡易中央分離帯と呼ぶ）が設けられている。
簡易中央分離帯は一般に幅狭く、また、ラバーポールやキャッツアイを取り付けた縁石等の付設物が設置されていることが多い。このような付設物が設置された簡易中央分離帯の除雪作業では、除雪車両のプラウで簡易中央分離帯を直接に掻き取ると付設物を損傷してしまうので、これを避けて除雪が行なわれる。このため、除雪されずに残った簡易中央分離帯の積雪は、降雪のたびに高く成長し、ついには、上部が走行路上に崩落する。崩落した積雪は走行路に砕かれたブロック状をなして飛散し、車両の通行が危険になることがある。
【０００３】
特許文献１の「中央分離帯除雪機能を有するスノープラウ」は、このような事態に対処したもので「プラウ本体２の中央分離帯側の側端部２１に、プラウ本体２のエッジ傾斜とは逆傾斜の弾性雪掃部材４を有する非平坦ライン雪処理装置Ｍを、プラウ本体２のカッティングエッジ延長線１に略平行するごとく延設した」との構造を提示している。
【０００４】
この構造は、非平坦ライン雪処理装置Ｍが、バネ鋼線材をブラシ状に結束したブラシとゴム板５からなる弾性雪掃部材４を備え、これらの弾性を利用して中央分離帯上面に突出したキャッツアイの凹凸に倣いつつ、キャッツアイの上面及びキャッツアイ間の凹部に降り積もった雪を除去するものであり、キャッツアイなどの突出物が列設された中央分離帯部分の除雪を何らの障害も起こすことなくスムースに行なえるものと推測される。
すなわち、プラウ本体２の側端部に取り付けた非平坦ライン雪処理装置Ｍで中央分離帯上面の積雪を除去している。
【０００５】
これによって、プラウ本体２が残してしまう中央分離帯上の雪を除去することができる。しかし、弾性雪掃部材４はキャッツアイの上面をなぞるように移動するから、中央分離帯にラバーポールなどが立設されているとこれが障害となって使用することができない。
なお、特許文献１の構造において、中央分離帯から除去される雪はプラウ本体２の進行方向前方に押し出されて、路面から掻き取った積雪と共に路側へ搬送される。
【０００６】
また、前記非平坦ライン雪処理装置Ｍは、流体圧シリンダー１０を有する折畳みリンク機構により、上方の退避位置へ移動できるようになっている。
なお、この装置のように、プラウ本体の側方に除雪補助装置を取付け、これを流体圧シリンダーのような折畳みリンク機構で作業位置と退避位置とに移動させる機構を備えた除雪装置、例えば、特許文献２のようなものは多数存在する。
【先行技術文献】
【特許文献】
【０００７】
【特許文献１】実公平２−２６９６１号公報
【特許文献２】実開昭６１−７６８１８号公報
【考案の概要】
【考案が解決しようとする課題】
【０００８】
特許文献１の非平坦ライン雪処理装置Ｍは、ブラシ及びゴム板５を備えた装置であるが、流体圧による折畳みリンク機構を備えた本格的な装置（アタッチメント）であって、かなりの重量があると推測される。
そのため、一度プラウの側端に取り付けた後は、着脱を考えず、装置を上方へ退避させる構造となる。したがって、この装置を利用する除雪車両はこの装置を利用しないときでも重い非平坦ライン雪処理装置Ｍをプラウ本体２の右側に取り付けたまま、移動することになってプラウ本体２の水平維持が難しくなったり、除雪車両の燃料を無駄に使用したりすることなる。
【０００９】
そこで、この考案は、軽量で簡単に着脱ができ、ラバーポールが存在しても簡易中央分離帯の除雪を行なえ、かつ、安価な除雪装置の提供を課題とする。
【課題を解決するための手段】
【００１０】
プラウにブラシ装置を取り付けた除雪装置とする。
ブラシ装置はブラシを有し、ブラシは、弾力による屈曲性と一端で支持しても他端の垂れ下がりが少ない合成樹脂の直線材を多数束ねた構造とする。ブラシの直線材は、ポリプロピレンあるいは塩化ビニールなどの直径３〜５ｍｍ程度、長さ４００〜６００ｍｍ程度のものとする。
この直線材は、素材的に硬い一方、弾力を備えて屈曲・回復性に富む。このため、ブラシの端部を固定して水平に維持した場合、ブラシの他端がほとんど下がらない程度の剛性を備えている。
【００１１】
ブラシ装置はプラウの進行方向右端の後面側に配置される。
そして、ブラシ装置をプラウに取り付けたとき、前記進行方向の前方から見て、プラウの右端よりも右方へブラシの先端を水平に突出させる。突出させる寸法は、少なくともブラシの先端が簡易中央分離帯の中央に達する寸法である。つまり、ブラシが簡易中央分離帯に立設されているラバーポールの箇所に達する配置とする。
【００１２】
ブラシ装置において、ブラシがプラウの進行方向で水平に複数個並列して取り付けられることがある。
ブラシの直線材は、平面視でプラウの進行方向で前方側のものが短く、後方側のものが長く、ブラシをプラウのブラケットに取り付けたとき、ブラシの先端縁がプラウの進行方向に対して前方から後方へ狭くなる鋭角に交差する配置とすることがある。
ブラシ装置はブラケットを有し、前記ブラシは、芯材の回りに複数の直線材の一端部を固定し、芯材を前記ブラケットに固定することがある。
また、芯材が存在する範囲において直線材の外側から、Ｕ字ボルトによってブラシの基部を前記ブラケットに固定することがある。
【考案の効果】
【００１３】
本考案の除雪装置は、プラウへブラシ装置を取り付ける（溶接による取付けを含む）だけで簡易中央分離帯の積雪を除去できるので、構造が極めて簡単で軽量である。また、ブラシ装置の固定にボルト等、着脱が可能な手段を用いることにより、プラウに対してブラシ装置を必要に応じて着脱可能な構造とすることも容易である。
また、通常は、ブラシ装置を準備するだけなので安価に用意できる。
【００１４】
簡易中央分離帯の積雪はプラウによる除雪作業のたびにブラシ装置のブラシによって払い飛ばされるので、高く成長することがない。このため、簡易中央分離帯において高く成長した積雪が崩落して車両の走行に支障をきたすような事態を防止することができる。
なお、払い飛ばされた積雪は新雪であることが多いから、道路上に広く細かく拡散するので車両の走行に大きな影響はない。
ラバーポールなどの付設物に対してはブラシが擦過するだけなので、これらを損傷することがない。そして、ブラシによってラバーポールの基部付近やラバーポール間の積雪が除去される。
【図面の簡単な説明】
【００１５】
【図１】〔イ〕は、簡易中央分離帯の積雪状況を撮影した写真、〔ロ〕は、前記写真を説明するためのトレース図。
【図２】除雪車両に取り付けた除雪装置（太線部分）を示した正面図。
【図３】ブラシ装置を示した斜視図。
【図４】ブラシ装置の配置を示した斜視図。
【図５】除雪車両に取り付けた除雪装置（三つ折タイプ、回送時）を示した平面図。
【図６】ブラシ装置の取付け構造を示した平面図（実施例２）。
【図７】補助プラウの一部を示す背面図〔イ〕と右側面図〔ロ〕。
【図８】ブラシ取付け構造を示した平面図（実施例３）。
【図９】ブラケット装着構造を概略で示す側面図。
【図１０】ブラケット装着箇所を概略で示す側面図。
【図１１】ブラシの取付け構造を示した背面図。
【考案を実施するための形態】
【００１６】
〔実施例１〕
図１〔イ〕、〔ロ〕は、本考案が必要とされる背景を説明するためのものであり、従来の除雪装置による除雪作業の後に簡易中央分離帯１に残存している積雪２の状態を示している。簡易中央分離帯１には付設物としてのラバーポール３が所定の間隔で立設されている。この状況にさらに降雪があると積雪２に降り積もり、走行路の除雪を行なっても除去されないので、降雪のたびに積雪２の高さが増加し、ついには上部が道路上に崩落する。
【００１７】
この考案の除雪装置４（図２）は、除雪車両５の前方に装着されたプラウ６とプラウ６の一端に取り付けられたブラシ装置７とからなる。
ブラシ装置７（図３）は、この実施例において、ブラケット８とほうき状に先広がりとなったブラシ９を備える。ブラシ９は、この実施例において、ポリプロピレン樹脂の直線材１０を芯材１１の周りに多数束ねてある。
直線材１０は、この実施例では、直径３ｍｍ、長さ４５０ｍｍであり、素材的に硬い一方、弾力を備えて屈曲・回復性に富む特性を有する。このため、ブラシ９は、端部を固定して水平に維持した場合、ブラシ９の他端の垂れ下がりが少ない程度の剛性を備えたものとなる。
なお、直線材１０の素材はポリプロピレンに限らず、他の合成樹脂やバネ鋼の直線材であってもよい。いずれにせよ、直線材１０はブラシ９としてまとめたとき、一端に対して他端の垂れ下がりが少ない程度の剛性を備えたものであればよい。
【００１８】
芯材１１は金属の丸棒でこの実施例において、直径２５ｍｍ、長さ９０ｍｍである。
芯材１１の周りに多数の前記直線材１０を配置し、基部１２を芯材１１に対して接着剤を併用するなどして縛り付けて固定する。固定箇所はブラシ９の基部１２（一端）となり、ブラシ９は基部１２から先端（他端）側へ広がった先広がりのほうき状となる。
なお、この実施例では、ブラシ９における直線材１０の先端を進行方向に沿って前方のものほど短くし、直線材１０の先端線（ａ）が進行方向前方から後方へ狭くなる鋭角で進行方向と交差する配置としている（図３）。
ブラケット８は、プラウ６側のステー１５にブラシ９を取り付けるためのものである。ブラシ９は、芯材１１の端部をこの芯材１１の直径方向に貫通する通しボルト１３によってブラケット８に固定されている。ブラシ９はまた芯材１１が存在する範囲の箇所において束ねた直線材１０の外面に沿わせてＵボルト１４を嵌めこみ、Ｕボルト１４の両端のボルト部分をブラケット８にねじ止めして固定されている。
【００１９】
ブラシ９は、前記のように芯材１１をブラケット８へ、通しボルト１３とＵボルト１４の２箇所で固定されているので、安定した状態で固定される。これにより、作業中にブラシ９の取付けが緩んで右方への突出角度が変化したり、脱落したりすることがない。なお、Ｕボルト１４の両端ボルト部分の長さには余裕を持たせて、ねじ止めの際にＵ字部分をブラケット８側へ引寄せることができるようになっている。
符合１６は変位抑制部材であって、合成樹脂製の樋状カバーの形態をしており、ブラシ９の基部１２に固定されている。変位抑制部材１６は、ブラシ９における基部側の後半部を覆い、ブラシの基部をプラウ６の進行方向後方側から支えている。
【００２０】
ブラシ装置７は、プラウ６の進行方向右端の後面側に配置される（図４）。
そして、ブラシ装置７をプラウ６に取り付けたとき、前記進行方向の前方から見て（図２）、プラウ６の右端よりも右方へ、ブラシ９の先端が水平に突出するようにする。なお、図２では左方になる。
突出させる程度は、少なくともブラシ９の先端が簡易中央分離帯１の中央に達する寸法である。つまり、ブラシ９が簡易中央分離帯１に立設されているラバーポール３の箇所に達する配置とする。
【００２１】
除雪装置４を取り付けた除雪車両５は、作業時にプラウ６の右端を簡易中央分離帯１の右端に沿わせ、前記ブラシ９の先端部を簡易中央分離帯１の中央に達するようにして走行する。
除雪作業では、プラウ６が走行路の積雪を掻きとり、掻き取った積雪をプラウ６の湾曲面に沿って左に移動し、簡易中央分離帯１と反対側の路側に放出する。
同時にプラウ６の右端後面側で簡易中央分離帯１に積もった雪をブラシ９の先端で払い出し（掃き出し）、走行路に広く拡散させる。払い出しはブラシの屈曲と弾発の繰り返しで行なわれる。
【００２２】
このとき、ブラシ９が積雪からの抵抗やラバーポール３を擦過するときの抵抗によって不要に大きく屈曲しようとするときは、前記変位抑制部材１６によって過度の変位が抑制される。これにより、ブラシ９による積雪の払い出し効果を強化すると共に、ブラシ９が過度な屈曲を繰り返して早期に劣化してしまうのを防止できる。
この実施例において、ブラシ装置７による払い出しは進行方向において前後に配置された２個のブラシ９により、２個のブラシが占める比較的広い範囲を維持して連続的に行なわれるので、簡易中央分離帯１上の積雪を払い出す能力が高い。
【００２３】
また、ブラシ装置７の交換、取付けは、ブラシ装置７自体がブラケット８とブラシ９を主とした装置であるから、軽量であり、加えて、ブラケット８をステー１５に固定しているボルトの取り外しと装着だけで行なえるから、簡単に行なえる。
ブラシ９の直線材１０は、これらの前記先端線（ａ）の傾斜によってブラシ９を構成する直線材１０が一挙にラバーポール３に衝突することがなく、ラバーポール３に対してブラシが滑らかに擦過する。
なお、この実施例ではブラシ９をブラケット８でステー１５に取り付けているが、ブラシ９をその芯材１１に貫通させた通しボルト１３と前記Ｕボルト１４によってステー１５へ直接に取り付けることもできる。
この場合もブラシ９の取付け、取り外しは通しボルト１３とＵボルト１４の着脱だけであり、簡単に行なえる。
【００２４】
〔実施例２〕
除雪装置４（図５）は、実施例１の場合と同様に、除雪車両５の前方に装着されたプラウ６とプラウ６の一端に取り付けられたブラシ装置７とからなる。
この実施例において、プラウ６は三つ折れタイプであり、プラウ本体１７とその左右両側に後方へ折り畳み可能とされた補助プラウ１８を有する。そして、右側の補助プラウ１８の右端部後面にブラシ装置７が取り付けられている。図５は回送時の状態を概略で示している。
左右の補助プラウ１８はプラウ本体１７の後面側に構成された油圧装置１９で伸展位置（作業位置）と後方へ折り畳まれた回送位置とにされる。補助プラウ１８が回送位置にあるときブラシ装置７は、プラウ本体１７と補助プラウ１８が構成する平面視コ字形をした空間の内側に納められる。
【００２５】
この実施例において、ブラシ装置７は２個のブラシ９、９とこれを取り付けているブラケット８とからなる（図６）。ブラシ９の構造及びブラシ９をブラケット８へ取り付ける構造は実施例１と同様である。
この実施例において、ブラシ装置７は、補助プラウ１８の右端後面へほぼ水平に溶着されたタップ座２０（プラウ側の支持部材）（図６、図７）へブラシ装置７のブラケット８をボルト２１で固定することにより、補助プラウ１８に取り付けてある。
タップ座２０は鋼材であって、長手方向に複数個のタップ孔２２を有している（図７）。このため、図６に破線で示すように、タップ座２０に対するブラシ装置７の取付け位置を変えることができる。そして、補助プラウ１８を伸展させたときにおけるプラウ６の右端からブラシ９が突出する量を、調節できる。タップ座２０を用いてブラシ装置７の出入りを調整する構造は補助プラウ１８を備えないプラウ６にも適用できる。
【００２６】
〔実施例３〕
除雪装置４（図８）は、実施例１の場合と同様に、除雪車両５の前方に装着されたプラウ６とプラウ６の一端に取り付けられたブラシ装置７とからなる。
この実施例では、ブラシ装置７をプラウ６の一端に取り付ける構造が実施例１，２と異なる。
この実施例において、ブラシ装置７を取り付けるステー１５は、前方に取付け部２３（図９）を有する縦板２４に横板２５を水平に組み合わせ（図１１）、これらの入隅側を連結板２６（図９）で補強した構造となっている。前記取付け部２３にはボルト孔２７が形成されている。また、横板２５には２個のブラシ９、９が取り付けられる。
【００２７】
一方、プラウ６の後面では、掻き取り案内用の湾曲板を支持するプラウ本体補強リブ２８の後方幅広部分に接合箇所２９を設定してその箇所に前記取付け部２３のボルト孔３０に一致させたボルト孔２７が形成されている（図１０）。
ブラシ装置７はブラシの芯材１１をプラウ本体補強リブ２８に取り付けたステー１５の横板２５へ、前記の通しボルト１３とＵボルト１４を用いて直接に取り付けてある。
なお、図８において符合３１は補強板であり、プラウ６の湾曲した排雪板の背面とプラウ本体補強リブ２８との入隅箇所に設けられており、除雪作業中にブラシ装置７からプラウ本体補強リブ２８に作用する反力を受け止め、プラウ本体補強リブ２８の変形を抑制する。
実施例３ではステー１５をプラウ６のプラウ本体補強リブ２８から取り外すことができるので、ブラシ装置７が必要でない場合に、プラウ６の背面から無用な張り出し部材を除去できる。
【００２８】
以上、実施例について説明した。
前記変位抑制部材１６は設けない場合もある。
実施例ではブラシ９が２個のものを説明したが、１個又は３個以上であっても良い。
実施例１においても、ステー１５に長孔を設けるなどして、ブラシ装置７を左右へ位置調整できるようにしておくと、ブラシ９の突出量を調整しやすい。
ブラシ９の交換、取付けはブラケット８に対してブラシ９だけ取り外して行なうこともできる。
【符号の説明】
【００２９】
１    簡易中央分離帯
２    積雪
３    ラバーポール
４    除雪装置
５    除雪車両
６    プラウ
７    ブラシ装置
８    ブラケット
９    ブラシ
１０  直線材
１１  芯材
１２  基部
１３  通しボルト
１４  Ｕボルト
１５  ステー
１６  変位抑制部材
１７  プラウ本体
１８  補助プラウ
１９  油圧装置
２０  タップ座
２１  ボルト
２２  タップ孔
２３  取付け部
２４  縦板
２５  横板
２６  連結板
２７  ボルト孔
２８  プラウ本体補強リブ
２９  接合箇所
３０  ボルト孔
３１  補強板
【図１】
0003214362.tif 000003
【図２】
0003214362.tif 000004
【図３】
0003214362.tif 000005
【図４】
0003214362.tif 000006
【図５】
0003214362.tif 000007
【図６】
0003214362.tif 000008
【図７】
0003214362.tif 000009
【図８】
0003214362.tif 000010
【図９】
0003214362.tif 000011
【図１０】
0003214362.tif 000012
【図１１】
0003214362.tif 000013